(57)【要約】【課題】洗浄工程における水漏れを防止すると共に、従来の食器洗い乾燥機に比べてより効果的に食器を乾燥させることができる食器洗い乾燥機を提供する。【解決手段】洗浄槽２の正面側に形成された開口部２ｇを閉塞する上扉体２１及び下扉体２２と、洗浄槽１の側部に一端側が枢支されており、上扉体２１を上下回動可能に支持する上扉支持腕３１とを備え、洗浄槽２に給水された洗浄水の噴射によって食器を洗浄し、洗浄槽２内に配されたヒータで該食器を乾燥させるようにしてある食器洗い乾燥機において、上扉体２１が正面側へ傾倒及び起立する方向へ揺動するように、上扉体２１を上扉支持腕３１の他端側に枢支させる。【選択図】図１
2007330707.tif 000002
【特許請求の範囲】
【請求項１】
洗浄槽の正面側に形成された開口部を閉塞する扉体と、前記洗浄槽の側部に一端側が枢支されており、上方へ開くように前記扉体を上下回動可能に支持する支持腕とを備え、前記洗浄槽に給水された洗浄水の噴射によって食器を洗浄し、前記洗浄槽内に配されたヒータで該食器を乾燥させるようにしてある食器洗い乾燥機において、
前記扉体は、
正面側及び背面側へ揺動するように前記支持腕の他端側に枢支されている
ことを特徴とする食器洗い乾燥機。
【請求項２】
前記扉体は、
正面側へ傾倒及び起立する方向へ揺動するように横方向の枢軸で前記支持腕に枢支されている
ことを特徴とする請求項１に記載の食器洗い乾燥機。
【請求項３】
前記扉体の傾倒角度を所定角度以内に規制する規制手段を備える
ことを特徴とする請求項２に記載の食器洗い乾燥機。
【請求項４】
前記規制手段は、
一端側が前記扉体に枢支されており、他端側が前記支持腕の途中に形成された溝部に沿って移動可能に連結されている傾倒規制桿を備える
ことを特徴とする請求項３に記載の食器洗い乾燥機。
【請求項５】
前記扉体を傾倒及び起立させるモータを備える
ことを特徴とする請求項２乃至請求項４のいずれか一つに記載の食器洗い乾燥機。
【請求項６】
食器を乾燥させる場合、前記扉体が傾倒するように前記モータを回転させる制御手段を備える
ことを特徴とする請求項５に記載の食器洗い乾燥機。
【請求項７】
前記扉体の傾倒の要否を受け付ける受付手段を備え、
前記制御手段は、
前記受付手段が傾倒を要することを受け付けた場合、前記モータを回転させるようにしてある
ことを特徴とする請求項６に記載の食器洗い乾燥機。
【請求項８】
前記制御手段は、
食器の乾燥を終えた場合、前記扉体が起立するように前記モータを回転させる手段を備える
ことを特徴とする請求項６又は請求項７に記載の食器洗い乾燥機。
【請求項９】
前記扉体が傾倒している場合、前記扉体の上下回動を規制する手段を備える
ことを特徴とする請求項２乃至請求項８のいずれか一つに記載の食器洗い乾燥機。
【請求項１０】
前記開口部の閉塞を検出する検出手段と、
該検出手段が前記開口部の閉塞を検出した場合、洗浄水を噴射する手段と
を備えることを特徴とする請求項１乃至請求項９のいずれか一つに記載の食器洗い乾燥機。
【発明の詳細な説明】
【技術分野】
【０００１】
本発明は、食器洗い乾燥機に関し、特に洗浄槽の正面側に形成された開口部を閉塞する扉体を備え、乾燥工程で発生した蒸気を開口部から排出すべく、前記扉体を揺動可能に構成した食器洗い乾燥機に関する。
【背景技術】
【０００２】
図１４は、従来の食器洗い乾燥機の略示正面図、図１５は、上扉体１２１及び下扉体１２２の開閉動作を示す食器洗い乾燥機の略示側断面図である。食器洗い乾燥機は、食器を収容する洗浄槽１０２を筐体１０１の内部に配している。洗浄槽１０２内部には、洗浄水を噴射する図示しない噴射ノズル、洗浄水加熱及び食器乾燥用のヒータ等が配されており、洗浄槽１０２と筐体１０１との間には、噴射ノズルに洗浄水を供給する洗浄ポンプ、吸気ファン等が設けられている。
【０００３】
筐体１０１及び洗浄槽１０２は正面側に開口部を形成しており、上扉体１２１及び下扉体１２２にて開口部を閉塞している。上扉体１２１は、洗浄槽１０２の側部に一端側が枢支された支持腕１３１にて上方へ開くように上下回動可能に支持されており、食器の乾燥工程で発生した蒸気を排出する排気口１２１ｄを正面側に備えている。下扉体１２２は、開扉ボタン１２２ａを備えている。開扉ボタン１２２ａが押圧された場合、開口部を閉塞した上扉体１２１及び下扉体１２２は夫々上方及び下方へ回動し、開口部が開放されるように構成されている。また、上扉体１２１、下扉体１２２及び洗浄槽１０２は、洗浄工程での水漏れを防止すべく密閉構造にしてあり、排気口１２１ｄも水漏れしない程度に小さく構成してある。
このように構成された食器洗い乾燥機においては、洗浄水の噴射によって食器を洗浄することができる。また、ヒータを加熱し、吸気ファンを駆動することにより、食器を乾燥させることができる。
【特許文献１】特開昭６３−１４５６２２号公報
【発明の開示】
【発明が解決しようとする課題】
【０００４】
しかしながら、従来の食器洗い乾燥機においては、上扉体１２１、下扉体１２２及び洗浄槽１０２は密閉構造であり、排気口１２１ｄも水漏れしない程度に小さく構成されているため、乾燥工程で発生した蒸気が洗浄槽１０２の外部に排出されにくく、効率的に食器を乾燥させることができないという問題があった。
また、蒸気が洗浄槽１０２の外部に排出されないまま乾燥工程が終了した場合、食器又は洗浄槽１０２に水分が結露するという問題があった。
【０００５】
本発明は斯かる事情に鑑みてなされたものであり、開口部を排気口として開放すべく、正面側及び背面側へ揺動するように支持腕の他端側に扉体を枢支させることにより、洗浄工程における水漏れを防止すると共に、従来の食器洗い乾燥機に比べてより効果的に食器を乾燥させることができる食器洗い乾燥機を提供することを目的とする。
【０００６】
本発明の他の目的は、扉体が正面側へ傾倒及び起立する方向へ揺動するように構成することにより、開口部から上方へ蒸気を排出することができ、正面側へ排出された蒸気が使用者に不快感を与えることを防止することができる食器洗い乾燥機を提供することにある。
【０００７】
本発明の他の目的は、扉体の傾倒角度を所定角度以内に規制する規制手段を備えることにより、扉体が所定角度以上傾倒して乾燥工程に支障が生ずることを防止することができる食器洗い乾燥機を提供することにある。
【０００８】
本発明の他の目的は、一端側が扉体に枢支されており、他端側が支持腕の途中に形成された溝部に沿って移動可能に連結された傾倒規制桿にて規制手段を構成することにより、簡単な構成で扉体の傾倒角度を規制することができる食器洗い乾燥機を提供することにある。
【０００９】
本発明の他の目的は、扉体を傾倒及び起立させるモータを備えることにより、電動で扉体を傾倒及び起立させることができる食器洗い乾燥機を提供することにある。
【００１０】
本発明の他の目的は、乾燥工程でモータを回転させて扉体を傾倒させる制御手段を備えることにより、乾燥工程で扉体を自動で傾倒させることができる食器洗い乾燥機を提供することにある。
【００１１】
本発明の他の目的は、扉体の傾倒の要否を受け付け、必要に応じて扉体を傾倒させるように構成することにより、使用者が乾燥工程における扉体の傾倒の要否を選択することができる食器洗い乾燥機を提供することにある。
【００１２】
本発明の他の目的は、食器の乾燥を終えた場合、モータを回転させて扉体を起立させるように構成することにより、乾燥工程終了後に開口部から埃が侵入し、食器に付着することを防止することができる食器洗い乾燥機を提供することにある。
【００１３】
本発明の他の目的は、扉体が傾倒している場合、扉体の上下回動を規制するように構成することにより、正面側へ傾倒した扉体が上方へ回動して扉体及び支持腕に不測の過重が加わることを防止することができる食器洗い乾燥機を提供することにある。
【００１４】
本発明の他の目的は、開口部の閉塞を検出する検出手段を備え、開口部が閉塞している場合、洗浄水を噴射するように構成することにより、開口部が開放している場合に洗浄水が噴射され、洗浄槽外へ洗浄水が飛散することを防止することができる食器洗い乾燥機を提供することにある。
【課題を解決するための手段】
【００１５】
本発明に係る食器洗い乾燥機は、洗浄槽の正面側に形成された開口部を閉塞する扉体と、前記洗浄槽の側部に一端側が枢支されており、上方へ開くように前記扉体を上下回動可能に支持する支持腕とを備え、前記洗浄槽に給水された洗浄水の噴射によって食器を洗浄し、前記洗浄槽内に配されたヒータで該食器を乾燥させるようにしてある食器洗い乾燥機において、前記扉体は、正面側及び背面側へ揺動するように前記支持腕の他端側に枢支されていることを特徴とする。
【００１６】
本発明にあっては、扉体は上方へ開くと共に、正面側及び背面側へ揺動するように支持腕の他端側に枢支されている。従って、乾燥工程で扉体を揺動させた場合、開口部が開放し、乾燥工程で発生した蒸気が開口部から上下又は横方向へ排出される。
また、蒸気は開口部から上下又は横方向へ排出されるため、正面側へ排出された蒸気が使用者に不快感を与える虞はない。
【００１７】
本発明に係る食器洗い乾燥機は、前記扉体は、正面側へ傾倒及び起立する方向へ揺動するように横方向の枢軸で前記支持腕に枢支されていることを特徴とする。
【００１８】
本発明にあっては、扉体は正面側へ傾倒及び起立する方向へ揺動するように、支持腕の他端側に横方向の枢軸で枢支されている。乾燥工程で扉体を正面側へ傾倒させた場合、蒸気が開口部から上方へ排出される。従って、正面側へ排出された蒸気が使用者に不快感を与える虞はない。
【００１９】
本発明に係る食器洗い乾燥機は、前記扉体の傾倒角度を所定角度以内に規制する規制手段を備えることを特徴とする。
【００２０】
本発明にあっては、規制手段は、扉体の傾倒角度を所定角度以内に規制する。従って、所定角度を越えて扉体が傾倒することはなく、乾燥工程における洗浄槽内の温度低下を抑えることができる。
【００２１】
本発明に係る食器洗い乾燥機は、前記規制手段は、一端側が前記扉体に枢支されており、他端側が前記支持腕の途中に形成された溝部に沿って移動可能に連結されている傾倒規制桿を備えることを特徴とする。
【００２２】
本発明にあっては、傾倒規制桿の一端側が扉体に枢支されており、傾倒規制桿の他端側は支持腕の途中に形成された溝部に沿って移動可能に連結している。扉体が傾倒した場合、傾倒規制桿の他端側は溝部に沿って移動し、傾倒規制桿が溝部の他端側まで移動した場合、扉体の傾倒が規制される。
【００２３】
本発明に係る食器洗い乾燥機は、前記扉体を傾倒及び起立させるモータを備えることを特徴とする。
【００２４】
本発明にあっては、扉体はモータの駆動力によって傾倒及び起立する。従って、使用者が手動で扉体を傾倒及び起立させることを要しない。
【００２５】
本発明に係る食器洗い乾燥機は、食器を乾燥させる場合、前記扉体が傾倒するように前記モータを回転させる制御手段を備えることを特徴とする。
【００２６】
本発明にあっては、食器を乾燥させる場合、制御手段は、モータを回転させ、扉体を傾倒させる。従って、乾燥工程で扉体が自動で傾倒し、蒸気が排出される。
【００２７】
本発明に係る食器洗い乾燥機は、前記扉体の傾倒の要否を受け付ける受付手段を備え、前記制御手段は、前記受付手段が傾倒を要することを受け付けた場合、前記モータを回転させるようにしてあることを特徴とする。
【００２８】
本発明にあっては、受付手段が扉体の傾倒の要否を受け付ける。そして、制御手段は、受付手段が扉体の傾倒を要することを受け付けた場合、乾燥工程でモータを回転させ、扉体を傾倒させる。また、制御手段は、受付手段が扉体の傾倒が不要であることを受け付けた場合、乾燥工程でモータを回転させない。
【００２９】
本発明に係る食器洗い乾燥機は、前記制御手段は、食器の乾燥を終えた場合、前記扉体が起立するように前記モータを回転させる手段を備えることを特徴とする。
【００３０】
本発明にあっては、制御手段は、食器の乾燥を終えた場合、扉体が起立するようにモータを回転させる。従って、乾燥工程終了後に、開口部から埃が侵入することを防止することができる。
【００３１】
本発明に係る食器洗い乾燥機は、前記扉体が傾倒している場合、前記扉体の上下回動を規制する手段を備えることを特徴とする。
【００３２】
本発明にあっては、扉体が正面側へ傾倒している場合、扉体の上下回動が規制される。つまり、扉体が傾倒している場合、支持腕の一端側を中心にした扉体の回動が規制され、傾倒していない場合のみ、扉体が上方へ開く。従って、扉体及び支持腕に不測の過重が加わる虞はない。
【００３３】
本発明に係る食器洗い乾燥機は、前記開口部の閉塞を検出する検出手段と、該検出手段が前記開口部の閉塞を検出した場合、洗浄水を噴射する手段とを備えることを特徴とする。
【００３４】
本発明にあっては、検出手段が開口部の閉塞を検出した場合、洗浄水が噴射され、検出手段が開口部の開放を検出した場合、洗浄水が噴射されない。従って、洗浄水が開放している開口部から外部へ飛散することはない。
【発明の効果】
【００３５】
本発明によれば、洗浄工程における水漏れを防止すると共に、乾燥工程で扉体を揺動させることによって蒸気を開口部から排出し、従来の食器洗い乾燥機に比べてより効果的に食器を乾燥させることができる。
また、蒸気は開口部から上下又は横方向へ排出されるため、正面側へ排出された蒸気が使用者に不快感を与える虞はない。
【００３６】
本発明によれば、開口部から上方へ蒸気を排出することができ、正面側へ排出された蒸気が使用者に不快感を与えることを防止することができる。
【００３７】
本発明によれば、扉体が所定角度以上傾倒して乾燥工程に支障が生ずることを防止することができる。
【００３８】
本発明によれば、簡単な構成で扉体の傾倒角度を規制することができる。
【００３９】
本発明によれば、電動で扉体を傾倒及び起立させることができる。
【００４０】
本発明によれば、乾燥工程で扉体を自動で傾倒させ、蒸気を開口部から排出することができる。
【００４１】
本発明によれば、使用者が乾燥工程における扉体の傾倒の要否を選択することができる。
【００４２】
本発明によれば、乾燥工程終了後に開口部から埃が侵入し、食器に付着することを防止することができる。
【００４３】
本発明によれば、正面側へ傾倒した扉体が上方へ回動して扉体及び支持腕に不測の過重が加わることを防止することができる。
【００４４】
本発明によれば、開口部が開放している場合に洗浄水が噴射され、洗浄槽外へ洗浄水が飛散することを防止することができる。
【発明を実施するための最良の形態】
【００４５】
以下、本発明をその実施の形態を示す図面に基づいて詳述する。
（実施の形態１）
図１乃至図３は、本発明の実施の形態１に係る食器洗い乾燥機の略示側断面図である。図中２は、筐体１内部に配された略直方体の洗浄槽である。筐体１及び洗浄槽２は、食器Ａを出し入れするための矩形の開口部２ｇを正面側に形成しており、開口部２ｇを上扉体２１及び下扉体２２にて閉塞するように構成されている。
【００４６】
洗浄槽２は、図３に示すように床への載置面１ａに対して正面側へ下り傾斜した略矩形の底板２ａを有しており、底板２ａの周縁部分には載置面１ａに対して略垂直の背面壁２ｂ、側壁２ｃ及び正面壁２ｄが形成され、背面壁２ｂ及び側壁２ｃの上端には天板２ｅが形成されている。側壁２ｃの正面側端部は、床への載置面１ａと略直交する垂直面、垂直面の上部から洗浄槽２の後方へ傾斜する傾斜面を有しており、正面壁２ｄの上端部及び天板２ｅの正面側端部と共に開口部２ｇを構成している。
【００４７】
側壁２ｃには、食器Ａを載せた食器かご６３を支持する図示しない支持レールが形成されており、底板２ａには、食器かご６３に載せられた食器Ａに洗浄水を噴射する複数の噴射ノズル６１が横方向に並設されている。また、底板２ａの正面側には、排水口２ｆが凹設されており、側壁２ｃにおける排水口２ｆの入口付近には、洗浄工程で洗浄水を加熱し、乾燥工程で食器Ａを乾燥させるためのヒータ６７が突設されている。底板２ａと筐体１との間には、排水口２ｆに貯留された洗浄水を噴射ノズル６１へ供給する洗浄ポンプ６２、洗浄ポンプ６２の駆動を制御する制御回路５が配設されている。
【００４８】
筐体１の背面側には吸気口６４が設けられている。筐体１と洗浄槽２との間には、外気を吸い込む吸気ファン６５、吸気ファン６５で吸い込まれた空気を洗浄槽２内のヒータ６７近傍へ送風する送風管６６が配設されている。乾燥工程で吸気ファン６５が回転することによって、外気が洗浄槽２内に送風される。送風された空気はヒータ６７で加熱され、食器Ａから蒸発した蒸気と共に洗浄槽２の外部へ排出される。
【００４９】
制御回路５は、例えばマイクロコンピュータからなり、洗浄ポンプ６２による洗浄水の噴射、ヒータ６７の加熱、吸気ファン６５の回転等を制御することにより、洗浄工程、すすぎ工程、乾燥工程を順次実行するように構成されている。
【００５０】
上扉体２１は、各側壁２ｃの正面側端部に倣い、開口部２ｇの上半分を覆うように形成されており、図２に示すように、２本の板状の上扉支持腕３１によって上下回動可能に支持されている。上扉体２１は、一点鎖線で示すように上方へ開き、下扉体２２は上扉体２１の回動に連動して下方へ開く。洗浄槽２を構成する両側壁２ｃの外側、上方の背面寄り部分には、第１枢軸２ｈが突設されており、各第１枢軸２ｈによって上扉支持腕３１の一端側が枢支されている。
【００５１】
上扉支持腕３１は、第１枢軸２ｈによって枢支された被枢支部３１ａと、被枢支部３１ａより正面側下方へ延設された長板状の途中部分３１ｂと、途中部分３１ｂから湾曲部３１ｃを介して延設されており、載置面１ａに対して略平行な支持腕先端部３１ｄとを有している。また、上扉支持腕３１の被枢支部３１ａには、上扉体２１を上方へ回動させるための回動レバー３１ｅが、背面側上方へ延設されている。回動レバー３１ｅの先端には、第１引っ張りコイルばね４１の一端が掛着されており、第１引っ張りコイルばね４１の他端は、側壁２ｃにおける下部の適宜箇所に掛着されている。
【００５２】
上扉体２１の両側部における下側部分には横方向の第２枢軸２１ａが突設され、支持腕先端部３１ｄには第２枢軸２１ａが回動可能に嵌合する孔部が設けられており、上扉体２１は、図１の一点鎖線で示すように、第２枢軸２１ａによって、正面側へ傾倒及び背面側へ起立する方向へ揺動するように枢支されている。
【００５３】
また、上扉支持腕３１は、長手方向に沿って形成された所定長の案内溝３１ｆを途中部分３１ｂに有している。上扉体２１の第２枢軸２１ａより上側には横方向に第３枢軸２１ｂが突設されており、傾倒規制桿３３の一端は第３枢軸２１ｂにて枢支されている。傾倒規制桿３３の他端には、案内溝３１ｆに沿って摺動可能な被案内凸部３３ａが形成されている。また、傾倒規制桿３３の他端側には、上扉体２１を起立させるための第２引っ張りコイルばね４２の一端が掛着され、第２引っ張りコイルばね４２の他端が上扉支持腕３１の途中部分３１ｂであって、案内溝３１ｆより被枢支部３１ａ側に掛着されている。第２引っ張りコイルばね４２は、上扉体２１が正面側へ傾倒した場合、上扉体２１を起立させる方向へ付勢するが、上扉体２１の傾倒角度が所定角度になった場合、第２引っ張りコイルばね４２によって上扉体２１を起立させる付勢力が、正面側へ傾倒した上扉体２１に加わる自重を下回るような弾性係数を有している。
【００５４】
また、上扉体２１の上端には、上扉体２１を手前へ傾倒させるための凹状の把手２１ｃが形成されている。更に、上扉体２１には、食器Ａの乾燥工程で発生した蒸気を排出する横長の排気口２１ｄが設けられている。
【００５５】
下扉体２２は、各側壁２ｃの正面側端部に倣い、開口部２ｇの下半分を覆うように形成されており、下扉体２２の下端部は、下扉体２２が上下回動するように洗浄槽２の側壁２ｃに枢支されている。下扉体２２は洗浄槽２を臨む内壁を有しており、内壁の下側部分における横方向両側には、下扉支持腕３２が突設されている。下扉支持腕３２は側面視鉤状の金属板で構成されており、下扉支持腕３２の先端と、上扉支持腕３１の途中部分３１ｂとが連結腕３４によって回動可能に連結されている。
【００５６】
下扉体２２の正面側における上側、左右方向略中央部には押しボタン式の開扉ボタン２２ａが設けられている。内壁の横方向両側には、上下方向へ揺動可能に一端側が枢支されており、下方へ付勢されたフック２２ｂが設けられている。フック２２ｂは、開扉ボタン２２ａが押圧された場合、上方へ回動するように構成されている。
【００５７】
洗浄槽２を構成する側壁２ｃの正面側には、開口部２ｇを閉塞した下扉体２２のフック２２ｂが係止するフック係止部３５が設けられており、開扉ボタン２２ａが押圧されて、フック２２ｂが上方へ回動した場合、フック２２ｂがフック係止部３５から脱離するように配置されている。
【００５８】
また、筐体１の正面側であって、下扉体２２の下方には、操作パネル６８が配設されている。操作パネル６８は、洗浄を開始させるためのスタートボタン、洗浄を停止させる停止ボタン等を有している。
【００５９】
このように構成された食器洗い乾燥機にあっては、開扉ボタン２２ａを押圧することによって、図２の一点鎖線で示すように上扉体２１を上方へ、下扉体２２を下方へ開くことができ、開口部２ｇから食器Ａを出し入れすることができる。
また、上扉体２１及び下扉体２２を閉じることで洗浄工程における水漏れを防止すると共に、乾燥工程では図１の一点鎖線で示すように上扉体２１を正面側へ傾倒させることによって蒸気を開口部２ｇから排出し、従来の食器洗い乾燥機に比べてより効果的に食器Ａを乾燥させることができる。
【００６０】
また、上扉体２１は正面側へ傾倒し、開口部２ｇから上方へ蒸気が排出されるため、正面側に排出された蒸気が使用者に不快感を与えることを防止することができる。
【００６１】
更に、傾倒規制桿３３及び案内溝３１ｆによって、上扉体２１の傾倒角度を規制するため、上扉体２１が所定角度以上傾倒して乾燥工程に支障が生ずることを防止することができる。
【００６２】
なお、実施の形態１にあっては、上扉体が正面側へ傾倒及び起立する方向へ揺動するように、横方向の第２枢軸にて枢支されているが、他の方向へ揺動するように構成しても良い。例えば、横方向へ揺動するように、縦方向の枢軸にて上扉体を上扉支持腕の他端側に枢支しても良い。
【００６３】
また、上扉体を揺動可能に枢支する枢軸を上扉体に備えているが、上扉支持腕に設けても良い。
【００６４】
また、上扉体及び下扉体を備えた食器洗い乾燥機を説明したが、上方へ開く扉体を１枚備えた食器洗い乾燥機に本発明を適用しても良い。
【００６５】
更に、傾倒規制桿及び案内溝を備えることで、上扉体の傾倒角度を規制するように構成しているが、傾倒角度の規制方法はこれに限定されない。例えば、上扉体が所定角度傾倒した場合、上扉体が当接する被当接部を上扉支持腕に備えることにより、上扉体の傾倒角度を規制しても良い。
【００６６】
（実施の形態２）
図４は、本発明の実施の形態２に係る食器洗い乾燥機の略示側断面図である。上扉体２１及び下扉体２２の開閉を検出し、開口部２ｇが閉塞している場合にのみ洗浄ポンプ６２を駆動するように構成した点が実施の形態１に係る食器洗い乾燥機と異なるため、以下では主に上記相違点を説明する。
【００６７】
洗浄槽２の側壁２ｃに設けられたフック係止部３５の下方には、開扉検出スイッチ７１が配設されている。開扉検出スイッチ７１は、例えばリミットスイッチで構成されている。開口部２ｇが閉塞してフック２２ｂがフック係止部３５に係止した場合、開扉検出スイッチ７１は入状態になり、フック２２ｂがフック係止部３５から脱離した場合、切状態になる。
【００６８】
また、側壁２ｃの上部には、上扉体２１の傾倒を検出する傾倒検出スイッチ７２が配設されており、上扉体２１の洗浄槽２側には、傾倒検出スイッチ７２を押圧する押圧凸部２１ｅが突設されている。傾倒検出スイッチ７２は、上扉体２１が起立している場合、押圧凸部２１ｅが傾倒検出スイッチ７２に当接して入状態になり、上扉体２１が傾倒した場合、切状態になる。
【００６９】
図５は、実施の形態２における制御回路５の構成を示すブロック図である。制御回路５は、ＣＰＵ５ａを備え、ＣＰＵ５ａにはバス５ｇを介してＲＯＭ５ｂ、ＲＡＭ５ｃ、タイマ５ｄ、入力ポート５ｅ及び出力ポート５ｆが接続されている。入力ポート５ｅには、操作パネル６８、開扉検出スイッチ７１、傾倒検出スイッチ７２等が接続されている。出力ポート５ｆには、洗浄ポンプ６２、ヒータ６７等が接続されている。
【００７０】
図６は、実施の形態２における食器Ａの洗浄及び乾燥に係る制御回路５の処理手順を示すフローチャートである。
制御回路５は、操作パネル６８のスタートボタンが押圧されたか否かを判定する（ステップＳ１）。スタートボタンが押圧されていないと判定した場合（ステップＳ１：ＮＯ）、制御回路５は、処理をステップＳ１へ戻す。スタートボタンが押圧されていると判定した場合（ステップＳ１：ＹＥＳ）、制御回路５は、開扉検出スイッチ７１及び傾倒検出スイッチ７２が入状態であるか否かを判定する（ステップＳ２）。開扉検出スイッチ７１及び傾倒検出スイッチ７２のいずれか一方、又はいずれもが切状態であると判定した場合（ステップＳ２：ＮＯ）、制御回路５は、処理をステップＳ２へ戻す。
【００７１】
開扉検出スイッチ７１及び傾倒検出スイッチ７２が入状態であると判定した場合（ステップＳ２：ＹＥＳ）、制御回路５は、洗浄工程を実行する（ステップＳ３）。洗浄工程では、ヒータ６７へ断続通電し、洗浄ポンプ６２を駆動することによって、加熱された洗浄水を食器Ａに噴射する。
【００７２】
次いで、制御回路５は、すすぎ工程を実行する（ステップＳ４）。そして、制御回路５は、乾燥工程を実行し（ステップＳ５）、食器Ａの洗浄及び乾燥に係る処理を終える。乾燥工程では、吸気ファン６５を回転させ、ヒータ６７を加熱する。
【００７３】
実施の形態２に係る食器洗い乾燥機にあっては、開口部２ｇが開放している場合に洗浄水が噴射され、洗浄槽２外へ洗浄水が飛散することを防止することができる。
【００７４】
実施の形態２に係る食器洗い乾燥機の他の構成、作用及び効果は、実施の形態１に係る食器洗い乾燥機の構成、作用及び効果と同様であるため、対応する箇所には同様の符号を付して詳細な説明を省略する。
【００７５】
なお、実施の形態２にあっては、リミットスイッチからなる開扉検出スイッチ及び傾倒検出スイッチを説明したが、より防水性の高い光センサ、例えば反射型のフォトインタラプタで各検出スイッチを構成しても良い。
【００７６】
（実施の形態３）
図７乃至図９は、本発明の実施の形態３に係る食器洗い乾燥機の略示側断面図である。
本発明の実施の形態３に係る食器洗い乾燥機は、上扉体３２１をモータ８で傾倒及び起立させるように構成した点、上扉体３２１及び下扉体２２の開閉を検出し、開口部２ｇが閉塞している場合にのみ洗浄ポンプ６２を駆動するように構成した点が実施の形態１に係る食器洗い乾燥機と異なるため、以下では主に上記相違点を説明する。
【００７７】
本発明の実施の形態３に係る食器洗い乾燥機は、上扉体３２１を上下回動可能に支持する上扉支持腕３３１を備えている。
上扉支持腕３３１は、第１枢軸２ｈによって枢支された被枢支部３３１ａと、被枢支部３３１ａより正面側下方及び鉛直下方へ延設された側面視略三角形状の途中部分３３１ｂと、途中部分３３１ｂより更に正面側へ延設された支持腕先端部３３１ｄと、回動レバー３３１ｅとを有している。
【００７８】
上扉体３２１は、正面側へ傾倒及び起立する方向へ揺動するように、第２枢軸３２１ａにて上扉支持腕３３１に支持されている。また、上扉体３２１は、実施の形態１と同様の排気口３２１ｄを備えており、上扉体３２１の上端は、開口部２ｇを閉塞した状態で載置面１ａと略平行になるように形成されている。
【００７９】
途中部分３３１ｂの筐体１側には、上扉体３２１を傾倒及び起立させるためのモータ８、例えばステッピングモータがねじ止めされている。モータ８は横方向の出力軸８ａを備えており、出力軸８ａには円盤状のカム８ｂが、該カム８ｂの中心線と出力軸８ａとが一致するように接続されている。カム８ｂの中心線より離隔した部位には駆動凸部８ｃが筐体１側に突設されており、駆動凸部８ｃは、図７に示すように上扉体３２１が開口部２ｇを閉塞している場合、カム８ｂの中心線より背面側に位置している。駆動凸部８ｃには、上扉駆動桿３３３の一端側が回動可能に枢支されており、他端側は、上扉体３２１の第３枢軸３２１ｂに枢支されている。上扉体３２１が起立した状態でモータ８が駆動し、カム８ｂが回動した場合、図８に示すように、駆動凸部８ｃが背面側から正面側へ回動すると共に上扉駆動桿３３３も背面側から正面側へ移動し、上扉体３２１が正面側へ傾倒する。逆に、上扉体３２１が傾倒した状態でモータ８が駆動し、カム８ｂが回動した場合、図９に示すように、駆動凸部８ｃが正面側から背面側へ回動すると共に上扉駆動桿３３３も正面側から背面側へ移動し、上扉体３２１が起立する。
【００８０】
また、上扉支持腕３３１の途中部分３３１ｂであって、カム８ｂの背面側には、上扉体３２１の傾倒を検出する傾倒検出スイッチ３７２が配設されている。傾倒検出スイッチ３７２は、駆動凸部８ｃが背面側に位置している場合、上扉駆動桿３３３が当接して入状態になり、駆動凸部８ｃが正面側に位置している場合、傾倒検出スイッチ３７２と上扉駆動桿３３３とが離隔して切状態になる。
更に、洗浄槽２の側壁２ｃには、実施の形態２に係る開扉検出スイッチ７１と同様の開扉検出スイッチ３７１が配設されている。
【００８１】
操作パネル３６８は、乾燥工程における上扉体３２１の傾倒の要否を選択するための選択ボタンを有している。
【００８２】
図１０は、実施の形態３における制御回路５の構成を示すブロック図である。
制御回路５は、ＣＰＵ５ａを備え、ＣＰＵ５ａにはバス５ｇを介してＲＯＭ５ｂ、ＲＡＭ５ｃ、タイマ５ｄ、入力ポート５ｅ及び出力ポート５ｆが接続されている。入力ポート５ｅには、操作パネル６８、開扉検出スイッチ３７１、傾倒検出スイッチ３７２等が接続されている。出力ポート５ｆには、洗浄ポンプ６２、ヒータ６７、モータ８等が接続されている。
【００８３】
図１１は、実施の形態３における食器Ａの洗浄及び乾燥に係る制御回路５の処理手順を示すフローチャートである。
制御回路５は、操作パネル６８の選択ボタンの操作状態を検出することで、乾燥工程における上扉体３２１の傾倒の要否を受け付ける（ステップＳ１１）。
【００８４】
次いで、制御回路５は、操作パネル６８のスタートボタンが押圧されたか否かを判定する（ステップＳ１２）。スタートボタンが押圧されていないと判定した場合（ステップＳ１２：ＮＯ）、制御回路５は、処理をステップＳ１２へ戻す。スタートボタンが押圧されていると判定した場合（ステップＳ１２：ＹＥＳ）、制御回路５は、開扉検出スイッチ３７１及び傾倒検出スイッチ３７２が入状態であるか否かを判定する（ステップＳ１３）。開扉検出スイッチ３７１又は傾倒検出スイッチ３７２が切状態であると判定した場合（ステップＳ１３：ＮＯ）、制御回路５は、処理をステップＳ１３へ戻す。
【００８５】
開扉検出スイッチ３７１及び傾倒検出スイッチ３７２が入状態であると判定した場合（ステップＳ１３：ＹＥＳ）、制御回路５は、洗浄工程を実行し（ステップＳ１４）、すすぎ工程を実行する（ステップＳ１５）。
【００８６】
次いで、制御回路５は、上扉体３２１の傾倒を要するか否かを判定する（ステップＳ１６）。傾倒を要すると判定した場合（ステップＳ１６：ＹＥＳ）、制御回路５は、上扉体３２１が正面側へ傾倒するようにモータ８を所定回数、回転させ（ステップＳ１７）、乾燥工程を実行する（ステップＳ１８）。そして、制御回路５は、上扉体３２１が起立するようにモータ８を所定回数、逆回転させ（ステップＳ１９）、食器Ａの洗浄及び乾燥に係る処理を終える。
【００８７】
ステップＳ１６で上扉体３２１の傾倒が不要であると判定した場合（ステップＳ１６：ＮＯ）、制御回路５は、モータ８を駆動して上扉体３２１を傾倒させることなく、乾燥工程を実行し（ステップＳ２０）、食器Ａの洗浄及び乾燥に係る処理を終える。
【００８８】
実施の形態３に係る食器洗い乾燥機にあっては、モータ８を駆動することで上扉体３２１を傾倒及び起立させることができる。
【００８９】
また、乾燥工程で上扉体３２１を自動で傾倒させることができ、蒸気を開口部２ｇから排出することができる。
【００９０】
更に、操作パネル６８を操作することで、使用者が乾燥工程における上扉体３２１の傾倒の要否を選択することができる。
【００９１】
更にまた、乾燥工程が終了した場合、モータ８が回転して上扉体３２１が起立するため、乾燥工程終了後に開口部２ｇから埃が侵入し、食器Ａに付着することを防止することができる。
【００９２】
更にまた、開口部２ｇが開放している場合に洗浄水が噴射され、洗浄槽２外へ洗浄水が飛散することを防止することができる。
【００９３】
実施の形態３に係る食器洗い乾燥機の他の構成、作用及び効果は、実施の形態１に係る食器洗い乾燥機の構成、作用及び効果と同様であるため、対応する箇所には同様の符号を付して詳細な説明を省略する。
【００９４】
（実施の形態４）
図１２は、本発明の実施の形態４に係る食器洗い乾燥機の略示側断面図である。
実施の形態４に係る食器洗い乾燥機は、上扉体２１が正面側へ傾倒している状態における上扉体２１及び下扉体２２の上下回動を規制するための規制突起４３３ｂを傾倒規制桿４３３に形成してある点が実施の形態１及び実施の形態２に係る食器洗い乾燥機と異なるため、以下では主に上記相違点を説明する。
【００９５】
実施の形態４に係る食器洗い乾燥機は、実施の形態１に係る食器洗い乾燥機と同様の洗浄槽２、上扉体２１、下扉体２２、上扉支持腕３１、傾倒規制桿４３３を備えている。
【００９６】
傾倒規制桿４３３の一端側は、上扉体２１の第３枢軸２１ｂに枢支されており、他端側には、案内溝３１ｆに沿って摺動可能な被案内凸部４３３ａが形成されている。また、傾倒規制桿４３３の途中には、側面視が縦長略長方形であって、横方向の厚みが傾倒規制桿４３３と同程度の扁平な規制突起４３３ｂが下方へ延設されている。
【００９７】
規制突起４３３ｂの上下方向の長さは、上扉体２１が正面側へ傾倒し、被案内凸部４３３ａが案内溝３１ｆの下側の端部に当接した場合に、規制突起４３３ｂの下端がフック２２ｂの上部に当接するような長さである。
【００９８】
このように構成された食器洗い乾燥機にあっては、上扉体２１が正面側へ傾倒した場合、フック２２ｂの上方への回動は規制突起４３３ｂによって規制される。フック２２ｂの上方への回動が規制された場合、開扉ボタン２２ａが押圧されてもフック２２ｂはフック係止部４３５から脱離することができず、開口部２ｇが開放されることはない。
【００９９】
上扉体２１が起立した場合、規制突起４３３ｂが上方へ移動し、フック２２ｂの上方への回動規制が解除される。フック２２ｂの上方への回動が解除されて、開扉ボタン２２ａが押圧された場合、フック２２ｂは上方へ回動するため、上扉体２１及び下扉体２２は上下方向へ回動し、開口部２ｇが開放される。
【０１００】
実施の形態４に係る食器洗い乾燥機にあっては、上扉体２１が正面側へ傾倒した状態で、上扉体２１及び下扉体２２が上下方向へ回動して、上扉体２１及び上扉支持腕３１に不測の過重が加わることを防止することができる。
【０１０１】
実施の形態４に係る食器洗い乾燥機の他の構成、作用及び効果は、実施の形態１及び実施の形態２に係る食器洗い乾燥機の構成、作用及び効果と同様であるため、対応する箇所には同様の符号を付して詳細な説明を省略する。
【０１０２】
なお、実施の形態４にあっては、フックの上方への回動を規制することで、上扉体及び下扉体の上下回動を規制するように構成してあるが、上扉体及び下扉体の規制方法はこれに限定されない。例えば、上扉体が正面側へ傾倒した場合、上扉体及び下扉体が係合して、上扉体及び下扉体の上下回動が規制されるように構成しても良い。
【０１０３】
（実施の形態５）
図１３は、本発明の実施の形態５に係る食器洗い乾燥機の略示側断面図である。
実施の形態５に係る食器洗い乾燥機は、上扉体３２１が正面側へ傾倒している状態における上扉体３２１及び下扉体２２の上下回動を規制するための規制突起５３３ｂを上扉駆動桿５３３に形成してある点が実施の形態３に係る食器洗い乾燥機と異なるため、以下では主に上記相違点を説明する。
【０１０４】
実施の形態５に係る食器洗い乾燥機は、実施の形態３に係る食器洗い乾燥機と同様の洗浄槽２、上扉体３２１、下扉体２２、上扉支持腕５３１、上扉駆動桿５３３を備えている。
【０１０５】
上扉駆動桿５３３の一端側は、上扉体３２１の第３枢軸３２１ｂに枢支されており、他端側はカム８ｂに形成された駆動凸部８ｃに枢支されている。また、上扉駆動桿５３３の途中には、側面視が縦長略長方形であって、横方向の厚みが上扉駆動桿５３３と同程度の扁平な規制突起５３３ｂが下方へ延設されている。
【０１０６】
規制突起５３３ｂの長さは、上扉体３２１が正面側へ傾倒した場合に、規制突起５３３ｂの下端がフック２２ｂの上部に当接するような長さである。
【０１０７】
このように構成された食器洗い乾燥機にあっては、実施の形態４と同様、上扉体３２１が正面側へ傾倒した場合、フック２２ｂの上方への回動は規制突起５３３ｂによって規制される。フック２２ｂの上方への回動が規制された場合、開扉ボタン２２ａが押圧されてもフック２２ｂはフック係止部５３５から脱離することができず、開口部２ｇが開放されることはない。
【０１０８】
上扉体３２１が起立した場合、規制突起５３３ｂが上方へ移動し、フック２２ｂの上方への回動規制が解除される。フック２２ｂの上方への回動が解除されて、開扉ボタン２２ａが押圧された場合、フック２２ｂは上方へ回動するため、上扉体３２１及び下扉体２２は上下方向へ回動し、開口部２ｇが開放される。
【０１０９】
実施の形態５に係る食器洗い乾燥機にあっては、上扉体３２１が正面側へ傾倒した状態で、上扉体３２１及び下扉体２２が上下方向へ回動して、上扉体３２１及び上扉支持腕５３１に不測の過重が加わることを防止することができる。
【０１１０】
実施の形態５に係る食器洗い乾燥機の他の構成、作用及び効果は、実施の形態３に係る食器洗い乾燥機の構成、作用及び効果と同様であるため、対応する箇所には同様の符号を付して詳細な説明を省略する。
【図面の簡単な説明】
【０１１１】
【図１】本発明の実施の形態１に係る食器洗い乾燥機の略示側断面図である。
【図２】本発明の実施の形態１に係る食器洗い乾燥機の略示側断面図である。
【図３】本発明の実施の形態１に係る食器洗い乾燥機の略示側断面図である。
【図４】本発明の実施の形態２に係る食器洗い乾燥機の略示側断面図である。
【図５】実施の形態２における制御回路の構成を示すブロック図である。
【図６】実施の形態２における食器の洗浄及び乾燥に係る制御回路の処理手順を示すフローチャートである。
【図７】本発明の実施の形態３に係る食器洗い乾燥機の略示側断面図である。
【図８】本発明の実施の形態３に係る食器洗い乾燥機の略示側断面図である。
【図９】本発明の実施の形態３に係る食器洗い乾燥機の略示側断面図である。
【図１０】実施の形態３における制御回路の構成を示すブロック図である。
【図１１】実施の形態３における食器の洗浄及び乾燥に係る制御回路の処理手順を示すフローチャートである。
【図１２】本発明の実施の形態４に係る食器洗い乾燥機の略示側断面図である。
【図１３】本発明の実施の形態５に係る食器洗い乾燥機の略示側断面図である。
【図１４】従来の食器洗い乾燥機の略示正面図である。
【図１５】上扉体及び下扉体の開閉動作を示す食器洗い乾燥機の略示側断面図である。
【符号の説明】
【０１１２】
１  筐体
２  洗浄槽
２ｇ  開口部
２１  上扉体
２１ａ  第２枢軸
２１ｂ  第３枢軸
２１ｃ  把手
２１ｄ  排気口
２２  下扉体
２２ａ  開扉ボタン
２２ｂ  フック
３１  上扉支持腕
３１ｆ  案内溝
３２  下扉支持腕
３３  傾倒規制桿
３３ａ  被案内凸部
３５  フック係止部
４１  第１引っ張りコイルばね
４２  第２引っ張りコイルばね
５  制御回路
６１  噴射ノズル
６２  洗浄ポンプ
６３  食器かご
６４  吸気口
６５  吸気ファン
６６  送風管
６７  ヒータ
６８  操作パネル
７１  開扉検出スイッチ
７２  傾倒検出スイッチ
Ａ  食器
【図１】
2007330707.tif 000003
【図２】
2007330707.tif 000004
【図３】
2007330707.tif 000005
【図４】
2007330707.tif 000006
【図５】
2007330707.tif 000007
【図６】
2007330707.tif 000008
【図７】
2007330707.tif 000009
【図８】
2007330707.tif 000010
【図９】
2007330707.tif 000011
【図１０】
2007330707.tif 000012
【図１１】
2007330707.tif 000013
【図１２】
2007330707.tif 000014
【図１３】
2007330707.tif 000015
【図１４】
2007330707.tif 000016
【図１５】
2007330707.tif 000017